【手続補正書】
【提出日】平成24年3月7日(2012.3.7)
【手続補正１】
【補正対象書類名】特許請求の範囲
【補正対象項目名】全文
【補正方法】変更
【補正の内容】
【特許請求の範囲】
【請求項１】
複数の受光レンズがアレイ状に配設されたレンズアレイと、
前記レンズアレイの端部に設けられ、生体の一部に対して近赤外光を照射する近赤外光照射光源と、
一つの前記受光レンズに対して複数の画素が割り当てられており、前記レンズアレイによって集光された前記生体内で散乱され静脈を透過した近赤外光に基づいて前記静脈の撮像データを生成する静脈撮像データ生成領域と、前記画素が遮光された遮光部および前記画素が遮光されていない開口部からなり、前記開口部を介して受光した光に基づいて撮像温度に応じた結像位置の変化を検出する際に利用される位置ズレ検出用データを生成する位置ズレ検出用データ生成領域と、を有する撮像素子と、
前記位置ズレ検出用データ生成領域から取得した前記位置ズレ検出用データに基づいて、撮像温度での結像位置を検出する結像位置検出部と、
前記結像位置検出部により検出された前記結像位置に基づいて、撮像温度による結像位置のズレ量を推定する位置ズレ量推定部と、
前記ズレ量に基づいて、一つの受光レンズに対応する複数の画素の中から静脈画像の生成に用いる前記静脈撮像データを生成する画素を選択する画素選択部と、
を備える、静脈撮像装置。
【請求項２】
前記近赤外光照射光源および前記撮像素子の少なくとも何れか一方の駆動制御を行う駆動制御部を更に備え、
前記駆動制御部は、前記位置ズレ量推定部から伝送された前記ズレ量に基づいて、前記近赤外光照射光源及び／又は前記撮像素子の駆動制御を行う、請求項１に記載の静脈撮像装置。
【請求項３】
前記静脈撮像データを用いて生成された前記静脈画像から、静脈パターンを抽出する静脈パターン抽出部と、
前記静脈パターンを抽出する際の前記静脈画像に対して、前記位置ズレ量推定部よって推定された前記ズレ量に基づいて補間処理を行う静脈画像補間部と、
を更に備える、請求項２に記載の静脈撮像装置。
【請求項４】
前記静脈画像補間部は、一つの受光レンズに対応する複数の画素のうち前記画素選択部による画素選択の基準単位となる基準単位領域の周辺に位置する画素から得られる前記静脈撮像データを用いて、前記静脈画像の補間処理を行う、請求項３に記載の静脈撮像装置。
【請求項５】
前記画素選択部は、一つの受光レンズに対応する複数の画素の中から、画素が検知した光量の総和が最大となる領域に含まれる画素を選択する、請求項１に記載の静脈撮像装置。
【請求項６】
前記位置ズレ量推定部から取得した前記ズレ量に基づいて前記撮像温度を推定する温度推定部を更に備える、請求項１に記載の静脈撮像装置。
【請求項７】
前記位置ズレ量推定部から出力された前記ズレ量または前記温度推定部から出力された前記撮像温度が所定の閾値以上であった場合に警告を発する警告部を更に備える、請求項１または６に記載の静脈撮像装置。
【請求項８】
複数の受光レンズがアレイ状に配設されたレンズアレイと、前記レンズアレイの端部に設けられ、生体の一部に対して近赤外光を照射する近赤外光照射光源と、一つの前記受光レンズに対して複数の画素が割り当てられており、前記レンズアレイによって集光された前記生体内で散乱され静脈を透過した近赤外光に基づいて前記静脈の撮像データを生成する静脈撮像データ生成領域と、前記画素が遮光された遮光部および前記画素が遮光されていない開口部からなり、前記開口部を介して受光した光に基づいて撮像温度に応じた結像位置の変化を検出する際に利用される位置ズレ検出用データを生成する位置ズレ検出用データ生成領域と、を有する撮像素子と、を備えた静脈撮像装置の前記位置ズレ検出量データ生成領域から取得した前記位置ズレ検出用データに基づいて、撮像温度での結像位置を検出するステップと、
検出された前記結像位置に基づいて、撮像温度による結像位置のズレ量を推定するステップと、
前記ズレ量に基づいて、一つの受光レンズに対応する複数の画素の中から静脈画像の生成に用いる前記静脈撮像データを生成する画素を選択するステップと、
を含む、位置ズレ補間方法。
【請求項９】
複数の受光レンズがアレイ状に配設されたレンズアレイと、前記レンズアレイの端部に設けられ、生体の一部に対して近赤外光を照射する近赤外光照射光源と、一つの前記受光レンズに対して複数の画素が割り当てられており、前記レンズアレイによって集光された前記生体内で散乱され静脈を透過した近赤外光に基づいて前記静脈の撮像データを生成する静脈撮像データ生成領域と、前記画素が遮光された遮光部および前記画素が遮光されていない開口部からなり、前記開口部を介して受光した光に基づいて撮像温度に応じた結像位置の変化を検出する際に利用される位置ズレ検出用データを生成する位置ズレ検出用データ生成領域と、を有する撮像素子と、を備えた静脈撮像装置を制御するコンピュータに、
前記位置ズレ検出用データ生成領域から取得した前記位置ズレ検出用データに基づいて、撮像温度での結像位置を検出する結像位置検出機能と、
前記結像位置検出機能により検出された前記結像位置に基づいて、撮像温度による結像位置のズレ量を推定する位置ズレ量推定機能と、
前記ズレ量に基づいて、一つの受光レンズに対応する複数の画素の中から静脈画像の生成に用いる前記静脈撮像データを生成する画素を選択する画素選択機能と、
を実現させるためのプログラム。
【手続補正２】
【補正対象書類名】明細書
【補正対象項目名】０００８
【補正方法】変更
【補正の内容】
【０００８】
上記課題を解決するために、本発明のある観点によれば、複数の受光レンズがアレイ状に配設されたレンズアレイと、前記レンズアレイの端部に設けられ、生体の一部に対して近赤外光を照射する近赤外光照射光源と、一つの前記受光レンズに対して複数の画素が割り当てられており、前記レンズアレイによって集光された前記生体内で散乱され静脈を透過した近赤外光に基づいて前記静脈の撮像データを生成する静脈撮像データ生成領域と、前記画素が遮光された遮光部および前記画素が遮光されていない開口部からなり、前記開口部を介して受光した光に基づいて撮像温度に応じた結像位置の変化を検出する際に利用される位置ズレ検出用データを生成する位置ズレ検出用データ生成領域と、を有する撮像素子と、前記位置ズレ検出用データ生成領域から取得した前記位置ズレ検出用データに基づいて、撮像温度での結像位置を検出する結像位置検出部と、前記結像位置検出部により検出された前記結像位置に基づいて、撮像温度による結像位置のズレ量を推定する位置ズレ量推定部と、前記ズレ量に基づいて、一つの受光レンズに対応する複数の画素の中から静脈画像の生成に用いる前記静脈撮像データを生成する画素を選択する画素選択部と、を備える静脈撮像装置が提供される。
【手続補正３】
【補正対象書類名】明細書
【補正対象項目名】００１２
【補正方法】変更
【補正の内容】
【００１２】
前記静脈画像補間部は、一つの受光レンズに対応する複数の画素のうち前記画素選択部による画素選択の基準単位となる基準単位領域の周辺に位置する画素から得られる前記静脈撮像データを用いて、前記静脈画像の補間処理を行ってもよい。
【手続補正４】
【補正対象書類名】明細書
【補正対象項目名】００１７
【補正方法】変更
【補正の内容】
【００１７】
また、上記課題を解決するために、本発明の更に別の観点によれば、複数の受光レンズがアレイ状に配設されたレンズアレイと、前記レンズアレイの端部に設けられ、生体の一部に対して近赤外光を照射する近赤外光照射光源と、一つの前記受光レンズに対して複数の画素が割り当てられており、前記レンズアレイによって集光された前記生体内で散乱され静脈を透過した近赤外光に基づいて前記静脈の撮像データを生成する静脈撮像データ生成領域と、前記画素が遮光された遮光部および前記画素が遮光されていない開口部からなり、前記開口部を介して受光した光に基づいて撮像温度に応じた結像位置の変化を検出する際に利用される位置ズレ検出用データを生成する位置ズレ検出用データ生成領域と、を有する撮像素子と、を備えた静脈撮像装置を制御するコンピュータに、前記位置ズレ検出用データ生成領域から取得した前記位置ズレ検出用データに基づいて、撮像温度での結像位置を検出する結像位置検出機能と、前記結像位置検出機能により検出された前記結像位置に基づいて、撮像温度による結像位置のズレ量を推定する位置ズレ量推定機能と、前記ズレ量に基づいて、一つの受光レンズに対応する複数の画素の中から静脈画像の生成に用いる前記静脈撮像データを生成する画素を選択する画素選択機能と、を実現させるためのプログラムが提供される。
【手続補正５】
【補正対象書類名】明細書
【補正対象項目名】００４４
【補正方法】変更
【補正の内容】
【００４４】
より詳細には、駆動制御部１２１は、撮像素子１０９の制御に関して、撮像素子１０９のある一つの方向に沿った駆動制御を、撮像素子１０９のある一つの方向に沿った画素数単位で分割して駆動する制御とする。すなわち、本実施形態に係る撮像素子１０９をある方向に沿って切断した切断図を考えた場合に、撮像素子１０９に、例えば７つの画素が存在したとする。この場合、駆動制御部１２１は、この切断線の方向に沿って画素を７つのグループに分けて分割して駆動制御を行う。
【手続補正６】
【補正対象書類名】明細書
【補正対象項目名】００８０
【補正方法】変更
【補正の内容】
【００８０】
図８（ｂ）は、位置ズレが、整数画素分である場合（すなわち、１画素、２画素、３画素・・・のように整数画素分のズレが生じている場合）について図示している。この場合、画素選択部１３１は、静脈撮像データを取得する画素を生じている位置ズレ分（すなわち、整数画素分）ずらして、基準単位領域に含まれる４×４＝１６個の画素を選択する。図８（ｂ）に示した例では、位置ズレ量は図８（ａ）に比べて左方向に１画素、上方向に１画素であるため、画素選択部１３１は、左方向に１画素、上方向に１画素ずれた基準単位領域に含まれる１６個の画素を選択することとなる。
【手続補正７】
【補正対象書類名】明細書
【補正対象項目名】０１３８
【補正方法】変更
【補正の内容】
【０１３８】
静脈撮像装置１０は、マイクロレンズアレイ１０１、近赤外光照射光源１０５および撮像素子１０９以外に、ＣＰＵ９０１と、ＲＯＭ９０３と、ＲＡＭ９０５と、を備える。また、静脈撮像装置１０は、更に、ホストバス９０７と、ブリッジ９０９と、外部バス９１１と、インターフェース９１３と、入力装置９１５と、出力装置９１７と、ストレージ装置９１９と、ドライブ９２１と、接続ポート９２３と、通信装置９２５とを備える。